(57)【要約】      （修正有）【課題】ＥＶＦ等の表示手段を使用して映像を再生する時の再生操作を容易にできる。【解決手段】映像再生で表示手段（ＥＶＦ）を使用している場合は再生のための特定モードに移行する。この状態で、映像再生操作手段（再生、巻き戻し、停止等）できるよう、ＥＶＦ画面に操作手順を表示する。操作方法としては撮像操作手段（ＭＦリング）やズーム手段を兼用する。再生画像はＥＶＥ以外の非接眼表示手段（液晶モニタ等）に表示する。【選択図】図２
2006237844.tif 000002
【特許請求の範囲】
【請求項１】
撮像により得られた映像信号を記録媒体に記録可能であり、前記記録媒体に記録された映像信号を再生可能な撮像装置であって、
前記撮像を操作する撮像操作手段と、
表示手段における前記映像信号の再生を操作する再生操作手段と、
特定モードにおいて、前記撮像操作手段を前記再生操作手段として機能させる制御手段と、
を有することを特徴とする撮像装置。
【請求項２】
前記表示手段は前記撮像装置本体に備えられており、接眼タイプの接眼表示手段と、それ以外の非接眼タイプの非接眼表示手段と、の少なくとも２つを含み、前記制御手段は、前記接眼表示手段における映像信号の再生時に、前記撮像操作手段を前記再生操作手段として機能させることを特徴とする請求項１に記載の撮像装置。
【請求項３】
前記非接眼表示手段は、回転を可能にする回転操作手段を有することを特徴とする請求項２に記載の撮像装置。
【請求項４】
撮像操作手段は少なくとも二つの状態を示せる操作部材であり、前記制御手段は、特定モード時に、処理に応じて接眼表示手段に専用のＧＵＩを表示させることを特徴とする請求項１〜３のいずれかに記載の撮像装置。
【請求項５】
前記撮像操作手段はＭＦリングであり、前記制御手段は、前記ＭＦリングの操作に応じて、前記再生の状態を制御することを特徴とする請求項４に記載の撮像装置。
【請求項６】
前記撮像操作手段はズーム操作手段であり、前記制御手段は、前記ズーム操作手段の操作に応じて、前記再生の状態を制御することを特徴とする請求項４に記載の撮像装置。
【請求項７】
撮像により得られた映像信号を記録媒体に記録可能であり、前記記録媒体に記録された映像信号を再生可能な撮像装置の映像信号再生方法であって、
特定モードにおいて、前記撮像を操作する撮像操作手段を、表示手段における前記映像信号の再生を操作する再生操作手段として機能させることを特徴とする撮像装置の映像信号再生方法。
【発明の詳細な説明】
【技術分野】
【０００１】
本発明は、撮像により得られた映像信号を記録媒体に記録可能であり、前記記録媒体に記録された映像信号を再生可能な撮像装置及び撮像装置の映像信号再生方法に関するものである。
【背景技術】
【０００２】
従来の撮像装置の代表的な構成を図４に示す。以下、これに沿って説明する。撮像装置４００には、接眼によって、被写体及び再生された映像信号等を視覚的に見ることができるＥＶＦ４１０と、非接眼によって被写体及び再生された映像信号等を視覚的に見ることができる液晶モニタ４２０と、再生時の操作を行う再生操作部材４３０と被写体を撮像するためのレンズ及びレンズのフォーカスを行うマニュアルフォーカスリング（以下、ＭＦリング）４４０と、液晶モニタ４２０を回転するための回転部４５０と被写体を撮像するカメラモード、及び既に記録媒体に記録された映像信号を再生する再生モードを切替えるモード切替え手段（キー）４６０と、を備えている。また、撮像装置４００は、図５のようなレンズのズームを制御するズーム操作手段（キー）５００を備えている。このようなＥＶＦ４１０と液晶モニタ４２０とを備えた撮像装置４００においては、再生時の操作を良好に行うために液晶モニタ４２０に設けられた図示せぬタッチパネルや再生操作部材４３０を用いる。液晶モニタ４２０使用時には、再生操作部材４３０を用いることで良好な操作性を得ることが出来る。
【０００３】
上記のように、一般にＥＶＦ及び液晶モニタともに被写体及び再生された映像を見るためのものであるが、各モードに応じて、それぞれの表示内容を変えるように制御する技術も提案されている（特許文献１）。
【特許文献１】特開２００１−１６９１５０号公報
【発明の開示】
【発明が解決しようとする課題】
【０００４】
しかしながら、上記従来技術のような構成では、ＥＶＦ４１０と、再生操作手段である液晶モニタ４２０に設けられたタッチパネルや再生操作部材４３０を、同時に見ることが困難な状況であり、ＥＶＦ４１０で映像信号を再生する際に、ユーザーは一度、ＥＶＦ４１０から目を離さなければならず、再生操作部材を良好に用いることは難しかった。
【０００５】
本発明は上述した問題点を解決するためのものであり、ＥＶＦ等の表示手段を使用して映像を再生する時の再生操作を容易にできる撮像装置及び撮像装置の映像信号再生方法を提供することを目的とする。
【課題を解決するための手段】
【０００６】
上記目的を達成するために、本発明の撮像装置は、撮像により得られた映像信号を記録媒体に記録可能であり、前記記録媒体に記録された映像信号を再生可能な撮像装置であって、前記撮像を操作する撮像操作手段と、表示手段における前記映像信号の再生を操作する再生操作手段と、特定モードにおいて、前記撮像操作手段を前記再生操作手段として機能させる制御手段と、を有することを特徴とする。
【０００７】
本発明の撮像装置の映像信号再生方法は、撮像により得られた映像信号を記録媒体に記録可能であり、前記記録媒体に記録された映像信号を再生可能な撮像装置の映像信号再生方法であって、特定モードにおいて、前記撮像を操作する撮像操作手段を、表示手段における前記映像信号の再生を操作する再生操作手段として機能させることを特徴とする。
【発明の効果】
【０００８】
本発明によれば、ＥＶＦ等の表示手段を使用して映像を再生する時の再生操作を容易にすることができる。
【発明を実施するための最良の形態】
【０００９】
以下、図面を参照して本発明の実施の形態を説明する。
【００１０】
（第１の実施形態）
本発明の実施形態図１、２を説明するにあたり、図３を用いて本発明が組み込まれた撮像装置の全体構成を明確にする。
【００１１】
図３（制御系の構成例）は本発明が実施若しくは適応されて好適な画像再生装置の概略構成例を示すブロック図である。
【００１２】
レンズ３００は被写体像を入光するためのものであり、撮像素子３０１はレンズ３００から入光した被写体像を光電変換する。制御部３０８は、図示せぬＭＰＵ（ＭＰＵはマイクロコンピュータの形を可とする）、ＲＯＭ、ＲＡＭ等によって構成され、撮像装置全体を統括制御する。カメラ信号処理部３０２は、撮像素子３０１からの出力信号をマトリクス処理することによって輝度信号及び、色差信号を生成し、ガンマ処理、Ａ／Ｄ変換などの処理を行う。画像記憶部３０３は、カメラ信号処理部３０２によって処理された信号を記憶するものであり、磁気テープ或は半導体メモリ等によって構成される。ＥＶＦ３０６は、映像素子３０１によって撮像された画像、或は画像記憶部３０３によって記憶された画像が表示される。また、表示部３０７は、液晶モニタ等によって構成され、ＥＶＦ３０６と同様に、映像素子３０１によって撮像された画像、或は画像記憶部３０３によって記憶された画像が表示される。また、表示信号生成部３０４は、カメラ信号処理部３０２或は画像記憶部３０３からの信号を所定のフォーマットに変換してＥＶＦ３０６或は表示部３０７に画像を表示させるための信号を生成する。表示駆動部３０５は、表示信号生成部３０４によって生成された信号に基づく画像をＥＶＦ３０６或は表示部３０７上に表示させる。モード切替え手段３０９は、被写体を撮像するカメラモードと画像記憶部３０３に記憶された映像信号を再生する再生モードとを切替えるための手段で、カメラモードが選択された場合には、撮像素子の駆動を開始し、カメラ信号処理部３０２から出力された画像信号を表示部３０７上に表示し、図示せぬトリガボタンの操作に応じて、画像記憶部３０３に画像信号の書き込みが開始される。また、再生モードが選択された場合には、画像記憶部３０３に記憶された画像データを読み出し、ＥＶＦ３０６或は表示部３０７上に表示される。また、タッチパネル３１０は表示部３０７上に設けられ、位置検出部３１１は、ユーザーがタッチパネル３１０を触れた位置を検出して制御部３０８に伝達する。レンズ駆動部３１２は、ＭＦリング４４０及びズームレンズ等を有し、制御部３０８の命令に基づいてレンズ３００のフォーカス及びズームレンズを制御する。再生操作部３１３は、画像再生操作を行うための操作部である。
【００１３】
図１は本発明の一実施形態に係る撮像装置の撮像操作手段が再生操作手段として機能する際の動作手順を示すフローチャートである。また、図２は本発明の一実施形態に係る撮像装置の接眼表示手段に表示するＧＵＩ  を示す図である。
【００１４】
初めにステップＳ１００において、制御部３０８は、例えば液晶モニタ４２０が閉じている或はＥＶＦ３０６に図示せぬ手前に引き出す機構がある場合、ＥＶＦ３０６を手前に引いている或はＥＶＦ３０６に図示せぬ視線入力が備わっている場合、視線入力を使用している等で、ＥＶＦ３０６を使用しているかどうかを判断し、ＥＶＦ３０６を使用している場合にはステップＳ１０１に進み、ＥＶＦ３０６を使用していない場合、例えば、表示部３０７等を使用している場合はこのフローを終了する。
【００１５】
ステップＳ１０１において、制御部３０８が、モード切替え手段３０９が再生モードかどうかを判断し、再生モードであればステップＳ１０２に進み、そうでなければこのフローを終了する。
【００１６】
ステップＳ１０２において、制御部３０８が、ＭＦリング４４０が回転したことを検知するとステップＳ１０３に進む。
【００１７】
ステップＳ１０３において、制御部３０８は、例えば、図２（ａ）に示した専用のＧＵＩ２００と静止画或はブランク信号２０１をカメラ信号処理部３０２で生成し、表示駆動部３０５を介して、ＥＶＦ３０６に表示する。
【００１８】
ステップＳ１０４において、制御部３０８は、ＭＦリング４４０が回転したことを検知し、その回転方向が左ならばステップＳ１０５に進み、右ならばこのフローを終了する。
【００１９】
ステップＳ１０５において、制御部３０８は、例えば、図２（ｂ）に示した専用のＧＵＩ２１０と変速再生画像１倍速２１１をカメラ信号処理部３０２で生成し、表示駆動部３０５を介して、ＥＶＦ３０６に表示する。
【００２０】
ステップＳ１０６において、制御部３０８は、ＭＦリング４４０が回転したことを検知し、その回転方向が左ならばステップＳ１０７に進み、右ならばステップＳ１０９に進む。
【００２１】
ステップＳ１０７において、制御部３０８は、例えば、図２（ｃ）に示した専用のＧＵＩ２２０と変速再生画像２倍速２２１をカメラ信号処理部３０２で生成し、表示駆動部３０５を介して、ＥＶＦ３０６に表示する。
【００２２】
ステップＳ１０８において、制御部３０８は、ＭＦリング４４０が右に回転したことを検知すれば、ステップＳ１０９に進む。
【００２３】
ステップＳ１０９において、制御部３０８は、例えば、図２（ｄ）に示した専用のＧＵＩ２３０と通常再生画像２３１をカメラ信号処理部３０２で生成し、表示駆動部３０５を介して、ＥＶＦ３０６に表示する。
【００２４】
ステップＳ１１０において、制御部３０８は、ＭＦリング４４０が回転したことを検知し、その回転方向が左ならばステップＳ１０５に進み、右ならばステップＳ１０３に進む。
【００２５】
また、本実施形態の図２において、巻戻しの倍速は撮像装置の形態により適時変更されて適応するべきものであり、再生においても倍速は撮像装置の形態により適時変更されて適応するべきものである。また、図２（ｃ）で示したＧＵＩ２２０における巻戻し×４の表示の処理は、ステップＳ１０８では示さなかったが、変速再生の速度が×８、×１６と上記フローと同様に、あがっていくことも可能である。
【００２６】
（第２の実施形態）
第１の実施形態ではＭＦリングが再生操作手段となる場合について説明したが、本実施形態ではズーム操作手段が再生操作手段となる場合について説明する。
【００２７】
第１の実施形態で示した図３の構成例において、図６、図７を用いて本実施形態の撮像装置の撮像操作手段が再生操作手段として機能することを説明する。なお、第１の実施形態において説明した内容は省略する。
【００２８】
図６は第２の実施形態による撮像装置の撮像操作手段が再生操作手段として機能する際の動作手順を示すフローチャートである。また、図７は第２の実施形態による撮像装置の接眼表示手段に表示するＧＵＩを示す図である。
【００２９】
始めにステップＳ６００において、制御部３０８は、例えば液晶モニタ４２０が閉じている或はＥＶＦ３０６に図示せぬ手前に引き出す機構がある場合、ＥＶＦ３０６を手前に引いている或はＥＶＦ３０６に図示せぬ視線入力が備わっている場合、視線入力を使用している等で、ＥＶＦ３０６を使用しているかどうかを判断し、ＥＶＦ３０６を使用している場合にはステップＳ６０１に進み、ＥＶＦ３０６を使用していない場合、例えば、表示部３０７等を使用している場合はこのフローを終了する。
【００３０】
ステップＳ６０１において、制御部３０８が、モード切替え手段３０９が再生モードかどうかを判断し、再生モードであればステップＳ６０２に進み、そうでなければこのフローを終了する。
【００３１】
ステップＳ６０２において、制御部３０８が、ズーム操作手段５００が動いたことを検知するとステップＳ６０３に進む。
【００３２】
ステップＳ６０３において、制御部３０８は、例えば、図７（ａ）に示した専用のＧＵＩ７００と静止画或はブランク信号７０１をカメラ信号処理部３０２で生成し、表示駆動部３０５を介して、ＥＶＦ３０６に表示する。
【００３３】
ステップＳ６０４において、制御部３０８は、ズーム操作手段５００が動いたことを検知し、その操作方向がＷ側ならばステップＳ６０５に進み、Ｔ側ならばこのフローを終了する。
【００３４】
ステップＳ６０５において、制御部３０８は、例えば、図７（ｂ）に示した専用のＧＵＩ７１０と変速再生画像１倍速７１１をカメラ信号処理部３０２で生成し、表示駆動部３０５を介して、ＥＶＦ３０６に表示する。
【００３５】
ステップＳ６０６において、制御部３０８は、ズーム操作手段５００が動いたことを検知し、その操作方向がＷ側ならばステップＳ６０７に進み、Ｔ側ならばステップＳ６０９に進む。
【００３６】
ステップＳ６０７において、制御部３０８は、例えば、図７（ｃ）に示した専用のＧＵＩ７２０と変速再生画像２倍速７２１をカメラ信号処理部３０２で生成し、表示駆動部３０５を介して、ＥＶＦ３０６に表示する。
【００３７】
ステップＳ６０８において、制御部３０８は、ズーム操作手段５００がＴ側に動いたことを検知すれば、ステップＳ６０９に進む。
【００３８】
ステップＳ６０９において、制御部３０８は、例えば、図７（ｄ）に示した専用のＧＵＩ７３０と通常再生画像７３１をカメラ信号処理部３０２で生成し、表示駆動部３０５を介して、ＥＶＦ３０６に表示する。
【００３９】
ステップＳ６１０において、制御部３０８は、ズーム操作手段５００が動いたことを検知し、その操作方向がＴ側ならばステップＳ６０５に進み、Ｗ側ならばステップＳ６０３に進む。
【００４０】
また、本実施形態の図７において、巻戻しの倍速は撮像装置の形態により適時変更されて適応するべきものであり、再生においても倍速は撮像装置の形態により適時変更されて適応するべきものである。また、図７（ｃ）で示したＧＵＩ７２０における巻戻し×４の表示の処理は、ステップＳ６０８では示さなかったが、変速再生の速度が×８、×１６と上記フローと同様に、あがっていくことも可能である。
【００４１】
以上、第１及び第２の実施形態で説明したように、二つの状態を示せる操作部材を特定のモード時に、別の機能の部材として用い、専用のＧＵＩと連動させて動作させることで、ＥＶＦ使用時における再生系の機能操作を容易にすることが可能となる。
【００４２】
なお、本発明は、本発明の技術思想の範囲内において、上記実施形態に限定されるものではなく、対象となる回路形態により適時変更されて適応するべきものである。
【図面の簡単な説明】
【００４３】
【図１】図１は本発明の第１の実施形態に係る撮像装置の撮像操作手段が再生操作手段として機能する際の動作手順を示すフローチャートである。
【図２】図２は本発明の第１の実施形態に係る撮像装置の接眼表示手段に表示するＧＵＩを示す図である。
【図３】図３は本発明が実施若しくは適応されて好適な画像再生装置の概略構成例を示すブロック図である。
【図４】図４は撮像装置の概観図。
【図５】図５はズーム操作手段の概観図。
【図６】図６は本発明の第２の実施形態に係る撮像装置の撮像操作手段が再生操作手段として機能する際の動作手順を示すフローチャートである。
【図７】図７は本発明の第２の実施形態に係る撮像装置の接眼表示手段に表示するＧＵＩを示す図である。
【符号の説明】
【００４４】
３００  レンズ
３０１  撮像素子
３０２  カメラ信号処理部
３０３  画像記憶部
３０４  表示信号生成部
３０５  表示駆動部
３０６  ＥＶＦ
３０７  表示部
３０８  制御部
３０９  モード切替え手段
３１０  タッチパネル
３１１  位置検出部
３１２  レンズ駆動部
３１３  再生操作部
４００  撮像装置
４１０  ＥＶＦ
４２０  液晶モニタ
４３０  再生操作部材
４４０  ＭＦリング
４５０  回転部
４６０  モード切替え手段
５００  ズーム操作手段
【図１】
2006237844.tif 000003
【図２】
2006237844.tif 000004
【図３】
2006237844.tif 000005
【図４】
2006237844.tif 000006
【図５】
2006237844.tif 000007
【図６】
2006237844.tif 000008
【図７】
2006237844.tif 000009